(57)【特許請求の範囲】
【請求項１】
購入者の操作を受け付ける操作部と、
表示部と、
チャージ残額を記憶するＩＣチップを備えるチャージ式のカードと通信するリーダライタと、
制御部とを備え、
前記制御部は、
前記操作部から商品の選択操作を受け付けている間に、カード及び前記リーダライタが通信したことに応じてチャージ残額を読み出し、チャージ残額に関する情報を前記表示部に表示する残額表示処理を行い、
前記操作部から商品決定の操作を受け付けた後に、カード及び前記リーダライタが通信したことに応じて、決定された商品の金額をカードのＩＣチップのチャージ残額から差し引いて更新する処理である決済処理を行い、
前記残額表示処理において、複数のカードと通信した場合には、複数のカードの合計チャージ残額及び前記操作部で選択された商品の金額の比較結果に関する情報を、前記表示部に表示すること、
を特徴とする決済装置。
【請求項２】
請求項１に記載の決済装置において、
前記制御部は、前記決済処理で通信したカードと、前記残額表示処理で通信したカードとが一致するか否かに関わらず、前記決済処理において決済を実行すること、
を特徴とする決済装置。
【請求項３】
請求項１又は請求項２に記載の決済装置において、
前記制御部は、前記残額表示処理において、チャージ残額に関する情報として、チャージ残額及び前記操作部で選択された商品の金額の比較結果に関する情報を、前記表示部に表示すること、
を特徴とする決済装置。
【請求項４】
請求項１から請求項３のいずれかに記載の決済装置において、
前記操作部及び前記表示部を兼用するタッチパネルを備えること、
を特徴とする決済装置。
【発明の詳細な説明】
【技術分野】
【０００１】
本発明は、チャージ式のカードの決済装置に関するものである。
【背景技術】
【０００２】
従来、購入商品をチャージ式のカードで決済可能な決済装置があった（例えば特許文献１）。
しかし、従来の決済装置は、商品選択後の決済処理の時点で、カードのチャージ残額が不足していると分かる場合があった。この場合には、処理を中止する必要がある。このため、従来の決済装置は、スムーズに決済処理できない場合があった。
【先行技術文献】
【特許文献】
【０００３】
【特許文献１】特開２０１０−８６２０２号公報
【発明の概要】
【発明が解決しようとする課題】
【０００４】
本発明の課題は、決済処理をスムーズに行うことができる決済装置を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、購入者の操作を受け付ける操作部（４２）と、表示部（４２）と、チャージ残額を記憶するＩＣチップ（１６）を備えるチャージ式のカード（１０）と通信するリーダライタ（３０）と、制御部（４７，４７ａ）とを備え、前記制御部は、前記操作部から商品の選択操作を受け付けている間に、カード及び前記リーダライタが通信したことに応じてチャージ残額を読み出し、チャージ残額に関する情報を前記表示部に表示する残額表示処理（Ｓ３，Ｓ５）を行い、前記操作部から商品決定の操作を受け付けた後に、カード及び前記リーダライタが通信したことに応じて、決定された商品の金額をカードのＩＣチップのチャージ残額から差し引いて更新する処理である決済処理（Ｓ１２，Ｓ２０）を行うこと、を特徴とする決済装置である。
・第２の発明は、第１の発明の決済装置において、前記制御部（４７，４７ａ）は、前記決済処理で通信したカード（１０）と、前記残額表示処理で通信したカード（１０）とが一致するか否かに関わらず、前記決済処理において決済を実行すること、を特徴とする決済装置である。
・第３の発明は、第１又は第２の発明の決済装置において、前記制御部（４７，４７ａ）は、前記残額表示処理（Ｓ１２，Ｓ２０）において、チャージ残額に関する情報として、チャージ残額及び前記操作部で選択された商品の金額の比較結果に関する情報を、前記表示部に表示すること、を特徴とする決済装置である。
・第４の発明は、第１から第３のいずれかの発明の決済装置において、前記制御部は、前記残額表示処理において、カードが交換されることにより他のカードと通信した場合には、他のカードのチャージ残額及び前記操作部で選択された商品の金額の比較結果に関する情報を、前記表示部に表示すること、を特徴とする決済装置である。
・第５の発明は、第１から第４のいずれかの発明の決済装置において、前記制御部（４７，４７ａ）は、前記残額表示処理（Ｓ５）において、複数のカード（１０）と通信した場合には、複数のカードの合計チャージ残額及び前記操作部で選択された商品の金額の比較結果に関する情報を、前記表示部に表示すること、を特徴とする決済装置である。
・第６の発明は、第１から第５のいずれかの発明の決済装置において、前記操作部及び前記表示部を兼用するタッチパネル（４２）を備えること、を特徴とする決済装置である。
【発明の効果】
【０００７】
本発明によれば、決済処理をスムーズに行うことができる決済装置を提供できる。
【図面の簡単な説明】
【０００８】
【図１】実施形態の決済装置２０の斜視図である。
【図２】実施形態の決済システム１の構成を説明する図である。
【図３】実施形態の商品購入時のフローチャートである。
【図４】実施形態の商品購入時の画面の遷移、ＩＣチップ１６（１６Ａ，１６Ｂ）の記憶情報の遷移を説明する図である。
【図５】実施形態の商品購入時の画面の遷移、ＩＣチップ１６（１６Ａ，１６Ｂ）の記憶情報の遷移を説明する図である。
【発明を実施するための形態】
【０００９】
（実施形態）
以下、図面等を参照して、本発明の実施形態について説明する。
図１は、実施形態の決済装置２０の斜視図である。
図２は、実施形態の決済システム１の構成を説明する図である。
決済システム１は、カード１０の決済に関するシステムである。
カード１０は、チャージ式のカードである。カード１０は、電子マネーの運営会社が、利用者である購入者に発行し、購入者がそれぞれ所持する。運営会社は、例えば、交通系の会社、小売系の会社等である。
決済システム１は、購入者がカード１０を使って、駅等に設置された決済装置２０で商品等を購入するものである。購入した商品は、決済装置２０で指定した送付先に送付される。
ここで、購入者は、決済システム１で利用可能なカード１０を複数所持する場合がある。この理由は、例えば、交通系のカード、小売系のカードを使い分ける等のためである。後述するように、決済システム１は、購入者の１回の商品購入において、複数のカード１０を利用できるようにした。
【００１０】
（決済システム１の構成）
決済システム１は、カード１０、決済装置２０、サーバ５０を備える。
カード１０は、非接触型ＩＣカードである。
カード１０は、アンテナ１１、ＩＣチップ１６を備える。
アンテナ１１は、電磁誘導方式で通信するループコイルアンテナである。
ＩＣチップ１６は、集積回路である。ＩＣチップ１６は、カード１０の動作に必要なプログラム、情報等を記憶する記憶部と、この記憶部に記憶された各種プログラムを実行することによりカード１０を制御する制御部とを備える。
【００１１】
ＩＣチップ１６は、識別情報記憶部１６ａ、残額記憶部１６ｂを備える。
識別情報記憶部１６ａは、カード識別情報、つまり購入者の識別情報を記憶する。カード識別情報は、各カード１０に付与された固有の情報である。
残額記憶部１６ｂは、カード１０のチャージ残額を記憶する。なお、詳細な説明は省略するが、購入者は、カード１０にチャージする場合には、例えば、駅、小売店等に設けられたチャージ装置を用いる。
【００１２】
決済装置２０は、リーダライタ３０と、タブレット型端末４０とを、ケーブル又は無線で接続したものである。リーダライタ３０と、タブレット型端末４０は、ケース２５に固定されている。
タブレット型端末４０及びサーバ５０間は、例えばインターネット等の通信網２を介して通信できる。
なお、タブレット型端末４０、サーバ５０は、コンピュータである。
実施形態ではコンピュータとは、記憶装置、制御装置等を備えた情報処理装置をいう。タブレット型端末４０、サーバ５０は、記憶部４６，５６、制御部４７，５７等を備えた情報処理装置であり、コンピュータの概念に含まれる。
記憶部４６，５６は、タブレット型端末４０、サーバ５０の動作に必要な情報、プログラム等を記憶するための記憶装置である。記憶部４６，５６は、ハードディスク、半導体メモリ素子等を備える。
制御部４７，５７は、タブレット型端末４０、サーバ５０の動作に必要な演算処理をしたり、これらを統括的に制御するための装置である。制御部４７，５７は、例えば、ＣＰＵ（中央処理装置）等から構成される。制御部４７，５７は、記憶部４６，５６に記憶された各種プログラムを適宜読み出して実行することにより、実施形態の各種機能を実現している。
【００１３】
図１に示すように、決済装置２０は、例えば、駅、小売店の店舗内に設置される据置型の装置である。
なお、図２には、簡略して、１つの決済装置２０を図示したが、実際には、決済システム１は、複数の決済装置２０を備える。各決済装置２０は、各駅等に設置されている。
【００１４】
リーダライタ３０は、アンテナ３１を備える。
アンテナ３１は、ループコイルアンテナ（図示せず）等を備える。
アンテナ３１は、カード１０のアンテナ１１と、電磁誘導方式で通信するためのものである。通信距離は、例えば、１００ｍｍ程度である。カード１０がアンテナ３１にかざされることにより、カード１０及びリーダライタ３０間が通信可能な状態になる。
【００１５】
タブレット型端末４０は、いわゆるタブレット型のパーソナルコンピュータを流用できる。
なお、決済装置２０は、タブレット型端末４０の代わりに、据え置き型のパーソナルコンピュータにタッチパネル４２を接続した装置を利用してもよい。
また、決済装置２０は、据え置き型のパーソナルコンピュータに対して、液晶表示装置等の表示部（タッチパネルでもよい）、ボタン等の操作部、リーダライタ３０を接続し、これらを一つのケースに組み込んでもよい。この場合には、装置の一体感を向上できる。
タブレット型端末４０は、タッチパネル４２、通信部４５（無線通信部）、記憶部４６、制御部４７を備える。
タッチパネル４２は、表示装置（表示部）、入力装置（操作部）の機能を有し、これらを兼用可能な装置である。タッチパネル４２は、例えば、液晶表示装置に、静電容量方式の入力装置とを組み合わせた装置である。タッチパネル４２は、購入者等が操作する。
【００１６】
通信部４５は、サーバ５０と無線通信するための通信装置である。
通信部４５は、例えば、数十ｍ以上で通信可能なものである。通信部４５は、通信網２に直接接続するものでもよく、又は無線ＬＡＮ等を介して通信網２に接続するものでもよい。
決済装置２０は、この通信部４５を備えるので、有線のＬＡＮケーブル等を接続することなく、駅等に設置できる。このため、決済装置２０は、設置自由度が高い。
【００１７】
記憶部４６は、決済プログラム４６ａを記憶する。
決済プログラム４６ａは、決裁処理に関するプログラムである。
制御部４７は、決済処理部４７ａを備える。
決済処理部４７ａは、決済プログラム４６ａに従って、決済の処理等を行う。
制御部４７の詳細な処理は、後述する。
【００１８】
サーバ５０は、カード１０の運営会社等が管理する。
サーバ５０は、記憶部５６、制御部５７を備える。
記憶部５６は、カード１０のチャージ残額、利用履歴等と、カード識別情報とを対応付けて記憶する。
制御部５７は、記憶部５６の情報の管理、決済装置２０との通信処理等を行う。
【００１９】
（決済システム１の処理）
商品の購入時の決済システム１の商品購入時の処理を説明する。
図３は、実施形態の商品購入時のフローチャートである。
図４、図５は、実施形態の商品購入時の画面の遷移、ＩＣチップ１６（１６Ａ，１６Ｂ）の記憶情報の遷移を説明する図である。
以下、購入者が商品の購入のため、決済装置２０のタブレット型端末４０の操作を開始する時点から説明する。また、以下の説明では、主に、購入者が２つのカード１０（１０Ａ，１０Ｂ）を所持し、これらを使って決済する例を説明する。
２つのカード１０Ａ，１０ＢのＩＣチップ１６Ａ，１６Ｂの情報は、それぞれ「チャージ残額５０００円」、「チャージ残額７０００円」である（図４（Ｂ），図４（Ｃ）参照）。
【００２０】
ステップＳ（以下「Ｓ」という）１において、タブレット型端末４０の制御部４７の決済処理部４７ａは、選択画面表示処理を行う。
図４（Ａ）に示すように、決済処理部４７ａは、この処理では、商品選択画面６１を、タッチパネル４２に表示する。
商品選択画面６１は、商品名表示６１ａ、個数表示６１ｂ、決済額表示６１ｃ、決定ボタン６１ｄ、カードタッチ案内表示６１ｅを備える。
【００２１】
商品名表示６１ａは、商品であるステーキセット、日本酒と、これらの価格とを示す。
個数表示６１ｂは、選択された商品の個数を示す。この例では、ステーキセットが１個、日本酒が１個選択されている。購入者は、商品の個数を変更する場合には、「＋ボタン」、「−ボタン」を操作すればよい。
決済額表示６１ｃは、商品の合計金額、つまり決済額を示す。この例では、１１０００円と表示されている。
決定ボタン６１ｄは、決済実行確認画面６４に進む場合に操作するボタンである。購入者は、商品選択画面６１に表示されている内容で決済に進みたい場合には、決定ボタン６１ｄを操作すればよい。
カードタッチ案内表示６１ｅは、購入者に対して、カード１０をリーダライタ３０にかざすように、促す表示である。この例では、「カードをタッチすると、チャージ残額を表示します」という文字の表示である。購入者は、カード１０のチャージ残額を確認したい場合には、カードタッチ案内表示６１ｅに従って、カード１０をリーダライタ３０にかざせばよい。
【００２２】
Ｓ２において、タブレット型端末４０の決済処理部４７ａは、カード１０がかざされたか否かを判定する。なお、購入者がカード１０をリーダライタ３０にかざすことにより、リーダライタ３０がカード１０との間の通信を開始する。決済処理部４７ａは、リーダライタ３０からの出力に基づいて、この判定をすることができる。
決済処理部４７ａは、カード１０がリーダライタ３０にかざされたと判定した場合には（Ｓ２：ＹＥＳ）、Ｓ３に進み、一方、かざされていないと判定した場合には（Ｓ２：ＮＯ）、Ｓ６に進む。
【００２３】
Ｓ３において、決済処理部４７ａは、カード１０のチャージ残額表示処理を行う。
決済処理部４７ａは、この処理を以下の順序で行う。
ここでは、カード１０Ａがかざされた例を説明する。
（１）カード１０ＡのＩＣチップ１６Ａからカード識別情報、チャージ残額を読み出す。
（２）このチャージ残額と、タッチパネル４２で選択された商品の金額とを比較する。
【００２４】
（３）図４（Ｂ）に示すように、チャージ残額表示画面６２をタッチパネル４２に表示する。
チャージ残額表示画面６２は、商品名表示６２ａ、個数表示６２ｂ、決済額表示６２ｃ、決定ボタン６２ｄ、チャージ残額表示６２ｆ、金額比較結果表示６２ｇ、他のカードタッチ案内表示６２ｈを備える。
各表示６２ａ〜６２ｄは、商品選択画面６１の各表示６１ａ〜６１ｄと同様である。
【００２５】
チャージ残額表示６２ｆ、金額比較結果表示６２ｇは、カード１０Ａのチャージ残額に関する情報である。
チャージ残額表示６２ｆは、カード１０ＡのＩＣチップ１６Ａのチャージ残額「残額５０００円」を示す。
金額比較結果表示６２ｇは、チャージ残額と、タッチパネル４２で選択された商品の金額との比較結果に関する情報である。この例では、チャージ残額が、決済額に対して６０００円不足しているので、この表示は、「不足６０００円」という表示である。説明は省略するが、チャージ残額が決済額に足りている場合には、決済処理部４７ａは、例えば、「不足０円」等と表示すればよい。
【００２６】
このように、決済処理部４７ａは、カード１０Ａ及びリーダライタ３０が通信したことに応じて、チャージ残額にする情報を、タッチパネル４２に表示できる。
また、決済処理部４７ａは、後述するＳ６：ＮＯの処理によって、Ｓ１からの処理を繰り返す。これにより、決済処理部４７ａは、タッチパネル４２から商品の選択操作を受け付けている間に、チャージ残額を読み出してタッチパネル４２に表示できる。
これにより、購入者は、商品選択時でも、チャージ残額、つまり購入可能金額を確認できる。
【００２７】
他のカードタッチ案内表示６２ｈは、購入者に対して、カード１０Ａとは異なる他のカード１０をリーダライタ３０にかざすように、促す表示である。この例では、「他のカードをタッチすると、チャージ残額を表示します」という文字の表示である。購入者は、カード１０Ａとは異なる他のカード１０のチャージ残額を確認したい場合には、他のカードタッチ案内表示６２ｈに従って、他のカード１０をリーダライタ３０にかざせばよい。
【００２８】
Ｓ４において、決済処理部４７ａは、上記Ｓ２のカード１０Ａとは異なる他のカード１０がリーダライタ３０にかざされたか否かを判定する。
決済処理部４７ａは、このＳ４の処理と、上記Ｓ２〜３の処理で、それぞれ読み出したカード識別情報を比較することにより、両者が異なるカードであるか否かを判定できる。
決済処理部４７ａは、他のカード１０がリーダライタ３０にかざされたと判定した場合には（Ｓ４：ＹＥＳ）、Ｓ５に進み、一方、かざされていないと判定した場合には（Ｓ４：ＮＯ）、Ｓ６に進む。
【００２９】
Ｓ５において、決済処理部４７ａは、合計チャージ残額表示処理を行う。
決済処理部４７ａは、この処理を以下の順序で行う。
ここでは、他のカード１０として、カード１０Ｂがかざされた例を説明する。
（１）カード１０ＢのＩＣチップ１６Ｂからカード識別情報、チャージ残額を読み出す。
（２）カード１０Ｂのチャージ残額と、Ｓ２〜３で読み出したカード１０Ａのチャージ残額との合計である合計チャージ残額を算出する。
（３）決済処理部４７ａは、この合計チャージ残額と、タッチパネル４２で選択された商品の金額とを比較する。
【００３０】
（４）図４（Ｃ）に示すように、合計チャージ残額表示画面６３をタッチパネル４２に表示する。
合計チャージ残額表示画面６３は、商品名表示６３ａ、個数表示６３ｂ、決済額表示６３ｃ、決定ボタン６３ｄ、チャージ残額表示６３ｆ、他のカードのチャージ残額表示６３ｉ、合計チャージ残額表示６３ｊ、比較結果表示６３ｋを備える。
各表示６３ａ〜６３ｄ，６３ｆは、チャージ残額表示画面６２の各表示６２ａ〜６２ｄ，６２ｆと同様である。
他のカードのチャージ残額表示６３ｉは、カード１０Ｂのチャージ残額を示す。
比較結果表示６３ｋは、合計チャージ残額と、タッチパネル４２で選択された商品の金額との比較結果に関する情報である。この例では、チャージ残額が決済額よりも大きいので、この表示は、「不足０円」という表示である。
説明は省略するが、合計チャージ残額が決済額に足りない場合には、前述したチャージ残額表示画面６２と同様に、不足額を表示すればよい。
このように、決済処理部４７ａは、カード１０Ｂ及びリーダライタ３０が通信したことに応じて、カード１０Ｂのチャージ残額、合計チャージ残額にする情報を、タッチパネル４２に表示できる。また、上記Ｓ３と同様に、タッチパネル４２から商品の選択操作を受け付けている間に、これらの情報をタッチパネル４２に表示できる。
【００３１】
なお、この例では、２枚のカード１０Ａ，１０Ｂについて説明したが、３枚以上のカード１０であっても、合計チャージ残額表示画面６３（チャージ残額、金額比較結果表示等）を表示できる。
このように、決済装置２０は、複数のカード１０の合計チャージ残額を確認できる。このため、購入者は、例えば、１枚のカード１０ではチャージ残額が不足している場合に、複数のカード１０で決済すれば、商品を購入できるか否かを確認できる。
【００３２】
Ｓ６において、決済処理部４７ａは、決定ボタン６１ｄ〜６３ｄのいずれかが選択されたか否かを判定する。決済処理部４７ａは、これらのいずれかが選択されたと判定した場合には、Ｓ７に進み、一方、いずれも選択されていないと判定した場合には（Ｓ６：ＮＯ）、Ｓ１からの処理を繰り返す。
【００３３】
Ｓ７において、決済処理部４７ａは、商品の送付先の入力を受け付ける。決済処理部４７ａは、この処理では、例えば、ソフトウェアキーボード等を備える送付先入力画面をタッチパネル４２に表示すればよい。
Ｓ８において、図５（Ａ）に示すように、決済処理部４７ａは、決済実行確認画面６４を表示する。
決済実行確認画面６４は、商品名表示６４ａ、個数表示６４ｂ、決済額表示６４ｃ、戻るボタン６４ｄ、タッチ案内表示６４ｍを備える。
各表示６４ａ〜６４ｃは、商品選択画面６１の各表示６１ａ〜６１ｃと同様である。
【００３４】
戻るボタン６４ｄは、商品選択画面６１に戻る場合に、操作されるボタンである。
タッチ案内表示６４ｍは、購入者に対して、カード１０をリーダライタ３０にかざすように、促す表示である。この例では、「カードをタッチすると、決済を実行します」という文字の表示である。
購入者は、決済実行確認画面６４の内容に間違えがある場合には、戻るボタン６４ｄを操作すればよく、一方、決済実行確認画面６４で実際に決済を実行すると判断した場合には、カード１０をリーダライタ３０にかざせばよい。カード１０がリーダライタ３０にかざされることにより、カード１０及びリーダライタ３０が通信を開始する。
【００３５】
Ｓ９において、購入者がカード１０をリーダライタ３０にかざすことにより、カード１０のＩＣチップ１６及びタブレット型端末４０の決済処理部４７ａは、決済処理を開始する。つまり、決済処理部４７ａは、リーダライタ３０がカード１０と通信したことに応じて、決済処理を開始する。
【００３６】
なお、決済処理部４７ａは、決済処理で読み取ったカード１０と、上記Ｓ６までの処理で読み取ったカード１０とが一致するか否かに関わらず、この決済処理を進める。つまり、Ｓ６までの処理と、Ｓ９以降の処理とは、独立したチャージ残額に関する処理である。
このため、購入者は、例えば、前述したチャージ残額表示画面６２、合計チャージ残額表示画面６３によって、カード１０Ａ，１０Ｂのチャージ残額、合計チャージ残額が不足していると分かっている場合には、十分なチャージ残額を有するカード１０に変更して決済してもよい。
【００３７】
Ｓ１０において、決済処理部４７ａは、チャージ残額が決済額に対して足りているか否かを判定する。
決済処理部４７ａは、チャージ残額が決済額に対して足りていると判定した場合には（Ｓ１０：ＹＥＳ）、Ｓ２０に進み、一方、足りていないと判定した場合には（Ｓ１０：ＮＯ）、Ｓ１１に進む。
決済処理部４７ａがこの判断に用いるチャージ残額は、上記Ｓ９からのみの処理からの場合と、後述するＳ１４からの処理との場合とでは異なる。
【００３８】
ここでは、最初に、上記Ｓ９のみの処理によってカード１０Ａのチャージ残額を読み取った場合のチャージ残額について説明する。後者の場合のチャージ残額については、後述する。
決済処理部４７ａは、上記Ｓ３と同様な処理を行った後に、１枚のカード１０Ａのチャージ残額が決済額に対して足りていないと判定し（Ｓ１０：ＮＯ）、Ｓ１１に進む。
【００３９】
Ｓ１１において、決済処理部４７ａは、残額不足画面表示処理を行う。
図５（Ｂ）に示すように、決済処理部４７ａは、この処理では、残額不足画面６５をタッチパネル４２に表示する。
残額不足画面６５は、決済額表示６５ｃ、戻るボタン６５ｄ、チャージ残額表示６５ｆ、金額比較結果表示６５ｇ、合計残額決済案内表示６５ｍ、決済継続ボタン６５ｎを備える。
各表示６５ｃ，６５ｄは、決済実行確認画面６４の各表示６４ｃ，６４ｄと同様である。
各表示６５ｆ，６５ｇは、チャージ残額表示画面６２の各表示６２ｆ，６２ｇと同様である。決済処理部４７ａは、Ｓ３と同様な処理を行うことにより、各表示６５ｆ，６５ｇを表示する。
【００４０】
合計残額決済案内表示６５ｍは、購入者に対して、合計残額決済、つまり複数のカード１０の合計チャージ残額での決済をすることを案内する表示である。この例では、「合計残額で決済継続しますか？」という文字の表示である。
決済継続ボタン６５ｎは、購入者が合計残額決済を選択する場合に、操作するボタンである。
購入者は、商品選択画面６１に戻りたい場合には、戻るボタン６５ｄを操作すればよく、一方、合計残額決済をすると判断した場合には、決済継続ボタン６５ｎを操作すればよい。
ここでは、購入者が決済継続ボタン６５ｎを操作する例を説明する。
【００４１】
Ｓ１２において、決済処理部４７ａは、カード１０Ａの決済処理を行う。
図５（Ｂ）に示すように、決済処理部４７ａは、カード１０Ａのチャージ残額の全額を差し引いて、「チャージ残額０円」に更新する。
【００４２】
Ｓ１３において、決済処理部４７ａは、他のカードのタッチ指示画面６６を、タッチパネル４２に表示する。
他のカードのタッチ指示画面６６は、カード１０Ａ以外のカード１０をリーダライタ３０にかざすように、促す画面である。
購入者は、この画面に従って、カード１０Ａをリーダライタ３０から離した後、他のカード１０であるカード１０Ｂをリーダライタ３０にかざせばよい。
これにより、カード１０Ｂ及びリーダライタ３０が通信を開始する。
【００４３】
Ｓ１４において、決済処理部４７ａは、合計チャージ残額算出処理を行う。
決済処理部４７ａは、この処理を以下の順序で行う。
（１）カード１０ＢのＩＣチップ１６Ｂからカード識別情報、チャージ残額を読み出す。
（２）カード１０Ｂのチャージ残額と、Ｓ１２でのカード１０Ａの決済額（つまりＳ１０で読み出したカード１０Ａのチャージ残額）との合計である合計チャージ残額を算出する。
その後、決済処理部４７ａは、Ｓ１０からの処理に戻る。
【００４４】
決済処理部４７ａは、繰り返すＳ１０の処理では、チャージ残額として複数枚のカード１０Ａ，１０Ｂの合計チャージ残額を用いて、決済額に対して足りているか否かを判定する。
この例では、合計チャージ残額が決済額に対して足りているので（Ｓ１０：ＹＥＳ）、Ｓ２０に進む。
【００４５】
なお、この例では、２枚のカード１０Ａ，１０Ｂについて説明したが、３枚以上のカード１０であっても、合計チャージ残額を用いて、決済額に対して足りているか否かを判定できる。
【００４６】
Ｓ２０において、図５（Ｄ）に示すように、決済処理部４７ａは、カード１０Ｂの決済処理を行う。
つまり、決済処理部４７ａは、カード１０Ｂのチャージ残額から不足額「６０００円」を差し引いて、「チャージ残額１０００円」に更新する。
【００４７】
また、決済処理部４７ａは、決済完了画面６７をタッチパネル４２に表示する。図５（Ｄ）の決済完了画面６７は、カード１０Ａ，１０Ｂで合計残額決済をした場合の例である。
決済完了画面６７は、決済額表示６７ｃ、カード決済結果表示６７ｏ、他のカード決済結果表示６７ｐを備える。
決済額表示６７ｃは、合計残額決済で決済した合計額を示す。
カード決済結果表示６７ｏは、Ｓ１２でのカード１０Ａの決済内容を示す。この例では、「カード１０Ａ  残額  ５０００円→０円」という表示である。
他のカード決済結果表示６７ｐは、このＳ２０でのカード１０Ｂの決済内容を示す。この例では、「カード１０Ｂ  残額  ７０００円→１０００円」という表示である。
購入者は、これらの表示を確認することにより、決済後のカード１０のチャージ残額等を確認できる。
【００４８】
Ｓ２１において、決済処理部４７ａは、サーバ５０と通信することにより、決済に関する情報をサーバ５０に送信する。
決済処理部４７ａは、決済に関する情報として、更新後のチャージ残額、商品、送付先住所等と、ＩＣチップ１６（１６Ａ，１６Ｂ）の識別情報記憶部１６ａから読み取ったカード識別情報とを対応付けたものを、送信する。
詳細な説明は省略するが、サーバ５０の制御部５７は、これらの情報を受信すると、Ｓ１２，Ｓ２０と同様な処理を行って、記憶部５６の情報を更新する。これにより、カード１０のＩＣチップ１６の情報と、サーバ５０の記憶部５６の情報とが一致する。サーバ５０の記憶部５６の情報は、例えば、カード紛失にともなうカード１０の再発行の場合等に利用される。
なお、サーバ５０との通信は、このように逐次行う形態に限定されず、例えば、数分毎、数回の決済毎、決められた定時等でもよい。
また、カード１０の管理と、商品の管理とが異なる運営者である場合には、制御部４７は、商品、送付先住所等の情報を、商品の管理者のサーバ（図示せず）等に送付すればよい。
その後、タブレット型端末４０の制御部４７は、処理を終了する。
【００４９】
以上説明したように、本実施形態の決済装置２０は、商品選択時にカード１０のチャージ残額を表示する。このため、購入者は、カード１０のチャージ残額が決済額に足りていることを確認してから、決済処理に進むことができるので、決済システム１は、決済処理をスムーズに行うことができる。
【００５０】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００５１】
（変形形態）
（１）実施形態において、決済装置は、チャージ残額、合計チャージ残額が決済額に足りている場合に、「不足０円」と表示する例を示したが、これに限定されない。
決済装置は、この場合、例えば、チャージ残額から決済額を差し引いた金額（差引後チャージ残額）を、タッチパネルに表示してもよい。この場合には、購入者は、選択している商品の外に、追加購入可能な金額を確認できる。
【００５２】
（２）実施形態において、決済装置は、リーダライタにかざされたカードが交換されることにより他のカードと通信した場合に、カード及び他のカードの合計チャージ残額と、決済額との比較結果に関する情報を、タッチパネルに表示する例を示したが、これに限定されない。
決済装置は、この場合、他のカードのチャージ残額と、決済額との比較結果に関する情報を、タッチパネルに表示してもよい。この場合には、購入者は、各カードと決済額との比較結果に関する情報を、確認できる。
【００５３】
（３）実施形態において、決済装置は、表示部及び操作部を兼用するタッチパネルを備える例を示したが、これに限定されない。決済装置は、例えば、液晶表示装置等の表示部と、購入者の操作を受け付ける機械的な操作部（例えば、ボタン、十字キー、レバー、キーボート等）とを備えていてもよい。このように、決済装置は、表示部及び操作部が独立した構成でもよい。
【符号の説明】
【００５４】
１…決済システム    １０，１０Ａ，１０Ｂ…カード    １６，１６Ａ，１６Ｂ…ＩＣチップ    １６ｂ…残額記憶部    ２０…決済装置    ３０…リーダライタ    ４０…タブレット型端末    ４２…タッチパネル    ４５…通信部    ４６…記憶部    ４６ａ…決済プログラム    ４７…制御部    ４７ａ…決済処理部    ５０…サーバ
【図１】
0006692654.tif 000002
【図２】
0006692654.tif 000003
【図３】
0006692654.tif 000004
【図４】
0006692654.tif 000005
【図５】
0006692654.tif 000006